(57)【特許請求の範囲】
【請求項１】
高速で動く物体（１）に対し同期検出信号（３）を得るための同期検出器（４）と、同期検出信号（３）に基づいてストロボ装置（１０）へストロボ制御信号（９）を送るストロボコントローラ（８）と、高速で動く物体（１）を撮影するビデオカメラ（１７）と、ストロボコントローラ（８）からの同期信号（２０）を入力すると共にビデオカメラ（１７）からのビデオ映像信号（１８）を入力するストロボビデオ同期装置（２４）とを備え、
前記ストロボビデオ同期装置（２４）は、ビデオカメラ（１７）のシャッター速度（２２）とストロボ発光部（１３）の発光とが同期されたビデオ映像信号（１８）のコマのみを同期ビデオ映像信号（２３）として出力するように構成されたことを特徴とするストロボビデオ撮影装置。
【請求項２】
ストロボビデオ同期装置（２４）に対し、ビデオカメラ（１７）のシャッター速度（２２）の設定値を変更可能なシャッター速度設定器（２１）を接続した請求項１記載のストロボビデオ撮影装置。
【請求項３】
同期ビデオ映像信号（２３）を、制御装置（２５）を介してビデオデッキ（１９）に入力するよう構成した請求項１又は２記載のストロボビデオ撮影装置。
【発明の詳細な説明】
【０００１】
【発明の属する技術分野】
本発明は、ストロボビデオ撮影装置に関するものであり、より詳しくは、その場で鮮明なビデオ映像を得られるようにしたストロボビデオ撮影装置に関するものである。
【０００２】
【従来の技術】
高速で動く物体の瞬間的な映像を、静止画として撮影する装置として、従来よりストロボカメラがある。
【０００３】
上記ストロボカメラは、ストロボの発光とカメラによる撮影のタイミングとを同期させることにより、高速で動く物体の瞬間的な映像を静止画として撮影させるようにするものである。
【０００４】
しかるに、近年のビデオ技術の向上に伴い、高速で動く物体の瞬間的な映像をビデオ映像として撮影し録画することが検討されている。
【０００５】
現在行われている、上記したようなビデオ映像を得る試みとしては、図２に示すようなものがある。
【０００６】
即ち、高速で動く物体１（ここでは、一例として船舶のプロペラ２を高速で動く物体１とした場合について説明する）に対し同期検出信号３を得るための同期検出器４を取付け（この場合には、プロペラ２のシャフト５にアルミ箔などの検出片６を取付けると共に、プロペラ２のシャフト５へ向けてピックアップ７を取付けることにより同期検出器４を構成させている）、同期検出器４からの同期検出信号３が入力されるストロボコントローラ８を設ける。
【０００７】
そして、ストロボコントローラ８からのストロボ制御信号９が入力されるストロボ装置１０を設け、ストロボ装置１０の電源系などを構成するストロボ本体１１からの発光用電力１２により、高速で動く物体１へ向けて発光するストロボ発光部１３を設ける。
【０００８】
更に、ストロボコントローラ８からのカメラ制御信号１４を入力して高速で動く物体１を撮影するスチールカメラ１５を設け、以上により、ストロボカメラ１６を構成する。
【０００９】
そして、上記ストロボカメラ１６とは別に、高速で動く物体１へ向けて、ＣＣＤカメラなどのビデオカメラ１７を配置し、ビデオカメラ１７からのビデオ映像信号１８を録画するビデオデッキ１９を設ける。
【００１０】
かかる構成によれば、船舶のプロペラ２などの高速で動く物体１に取付けた、同期検出器４のピックアップ７が、アルミ箔などの検出片６の通過によってプロペラ２のシャフト５の周回を検知すると、同期検出器４は同期検出信号３を発生する。
【００１１】
こうして同期検出器４から発生された同期検出信号３は、ストロボコントローラ８へ入力され、ストロボコントローラ８は、同期検出信号３に基づきストロボ装置１０の電源系などを構成するストロボ本体１１へストロボ制御信号９を送り、ストロボ本体１１からストロボ発光部１３へ発光用電力１２を送らせ、高速で動く物体１へ向けてストロボ発光部１３を発光させる。
【００１２】
同時に、ストロボコントローラ８は、同期検出信号３に基づきスチールカメラ１５へカメラ制御信号１４を送り、スチールカメラ１５をストロボ発光部１３の発光と同期させて、高速で動く物体１を静止画として撮影させる。
【００１３】
これにより、プロペラ２が周回されるごとに同一位相のプロペラ２の姿が撮影され、撮影したフィルムを現像することにより、プロペラ２によって発生したキャビテーションの状態を静止画の連続写真として見ることができるようになる。
【００１４】
更に、ＣＣＤカメラなどのビデオカメラ１７が、高速で動く物体１のビデオ映像を撮影し、ビデオカメラ１７からのビデオ映像信号１８がビデオデッキ１９で録画される。
【００１５】
【発明が解決しようとする課題】
しかしながら、上記したビデオカメラ１７のビデオ映像には、以下のような問題があった。
【００１６】
即ち、ビデオカメラ１７には、メーカーや機種によって固有のシャッタースピードがあるため、ビデオカメラ１７のシャッターがおりるタイミングとストロボ発光部１３が発光するタイミングとが完全に一致することが稀であり、得られたビデオ映像をビデオデッキ１９で再生して見ると、真っ暗な映像となっていたりする。
【００１７】
そのため、得られたビデオ映像はそのまま使えず、後日、画像分析にかけるなどの手間を掛けない限り、プロペラ２によってキャビテーションが発生する経過などを観察するのに利用することができない。
【００１８】
本発明は、上述の実情に鑑み、その場で鮮明なビデオ映像を得られるようにしたストロボビデオ撮影装置を提供することを目的とするものである。
【００１９】
【課題を解決するための手段】
本発明は、高速で動く物体１に対し同期検出信号３を得るための同期検出器４と、同期検出信号３に基づいてストロボ装置１０へストロボ制御信号９を送るストロボコントローラ８と、高速で動く物体１を撮影するビデオカメラ１７と、ストロボコントローラ８からの同期信号２０を入力すると共にビデオカメラ１７からのビデオ映像信号１８を入力するストロボビデオ同期装置２４とを備え、
前記ストロボビデオ同期装置２４は、ビデオカメラ１７のシャッター速度２２とストロボ発光部１３の発光とが同期されたビデオ映像信号１８のコマのみを同期ビデオ映像信号２３として出力するように構成されたことを特徴とするストロボビデオ撮影装置にかかるものである。
【００２０】
この場合において、ストロボビデオ同期装置２４に対し、ビデオカメラ１７のシャッター速度２２の設定値を変更可能なシャッター速度設定器２１を接続するようにしても良い。
【００２１】
又、同期ビデオ映像信号２３を、制御装置２５を介してビデオデッキ１９に入力するよう構成しても良い。
【００２２】
上記手段によれば、以下のような作用が得られる。
【００２３】
ストロボビデオ同期装置２４が、ストロボコントローラ８からの同期信号２０を入力すると共に、ビデオカメラ１７からのビデオ映像信号１８を入力して、ビデオカメラ１７のシャッター速度２２に基づき、ストロボ発光部１３の発光と同期されたビデオ映像信号１８のコマのみを同期ビデオ映像信号２３として出力するようにする。
【００２４】
そして、ストロボビデオ同期装置２４からの同期ビデオ映像信号２３は、一旦、コンピュータなどの制御装置２５へ入力され、制御装置２５のディスプレイに表示させつつビデオデッキ１９でつなぎ録りさせるようにする。
【００２５】
その後は、適時、ビデオデッキ１９を再生させて映像をコンピュータなどの制御装置２５のディスプレイなどに表示させたりし、必要があれば、映像をコンピュータなどの制御装置２５に取込ませて、ファイル化したり、画像分析を行わせたりする。
【００２６】
本発明によれば、高速で動く物体１に対し同期検出信号３を得るための同期検出器４と、同期検出信号３に基づいてストロボ装置１０へストロボ制御信号９を送るストロボコントローラ８と、高速で動く物体１を撮影するビデオカメラ１７とを備えると共に、ストロボビデオ同期装置２４を設けて、ストロボ発光部１３の発光と同期されたビデオ映像信号１８のコマのみを同期ビデオ映像信号２３として出力させるようにすることにより、鮮明なビデオ映像を得ることができる。
【００２７】
そして、鮮明なビデオ映像が得られるため、画像分析などを行わなくとも、その場で、高速で動く物体１の様子を観察することができるので、高い有用性が得られる。
【００２８】
又、ビデオカメラ１７は、メーカーや機種などによって固有のシャッター速度があるのが普通であるが、シャッター速度設定器２１にそのビデオカメラ１７のシャッター速度２２を設定することにより、メーカーや機種などに拘らず、全てのビデオカメラ１７を使用させるようにすることが可能となる。
【００２９】
更に、ストロボビデオ同期装置２４は、比較的構成が簡単であるため、安価に製作することが可能である。
【００３０】
【発明の実施の形態】
以下、本発明の実施の形態を、図示例と共に説明する。
【００３１】
図１は、本発明の実施の形態の一例である。
【００３２】
ストロボカメラ１６の基本的な構成については、図２と同様であるため、同一の部分については同一の符号を付すことにより説明を省略する。
【００３３】
本発明では、高速で動く物体１に対し同期検出信号３を得るための同期検出器４と、同期検出信号３に基づいてストロボ装置１０へストロボ制御信号９を送るストロボコントローラ８と、高速で動く物体１を撮影するビデオカメラ１７と、ストロボコントローラ８からの同期信号２０（同期検出器４からの同期検出信号３を直接入力するよう構成しても良い）を入力すると共に、ビデオカメラ１７からのビデオ映像信号１８を入力するストロボビデオ同期装置２４とを備え、ストロボビデオ同期装置２４は、シャッター速度設定器２１に設定したビデオカメラ１７のシャッター速度２２に基づき、ストロボ発光部１３の発光と同期されたビデオ映像信号１８のコマのみを同期ビデオ映像信号２３として出力するように構成されている。
【００３４】
そして、上記ストロボビデオ同期装置２４を、直接ビデオデッキ１９に接続させるようにしても良いが、本発明では、上記ストロボビデオ同期装置２４を、コンピュータなどの制御装置２５へ入力し、制御装置２５に接続されたビデオデッキ１９やカラープリンタなどの印字装置２６を制御させ得るように構成する。
【００３５】
次に、作動について説明する。
【００３６】
ストロボカメラ１６で、スチールカメラ１５をストロボ発光部１３の発光と同期させて高速で動く物体１を静止画として撮影させる過程については図２と同様なので説明を省略する。
【００３７】
本発明では、ストロボビデオ同期装置２４が、ストロボコントローラ８からの同期信号２０（同期検出器４からの同期検出信号３を直接入力するよう構成しても良い）を入力すると共に、ビデオカメラ１７からのビデオ映像信号１８を入力して、シャッター速度設定器２１に設定したビデオカメラ１７のシャッター速度２２に基づき、ストロボ発光部１３の発光と同期されたビデオ映像信号１８のコマのみを同期ビデオ映像信号２３として出力するようにする。
【００３８】
そして、ストロボビデオ同期装置２４からの同期ビデオ映像信号２３は、一旦、コンピュータなどの制御装置２５へ入力され、制御装置２５のディスプレイに表示させつつビデオデッキ１９でつなぎ録りさせるようにする。
【００３９】
その後は、適時、ビデオデッキ１９を再生させて映像をコンピュータなどの制御装置２５のディスプレイなどに表示させたりし、必要があれば、映像をコンピュータなどの制御装置２５に取込ませて、ファイル化したり、画像分析を行わせたりし、更に、カラープリンタなどの印字装置２６に印字させたりする。
【００４０】
本発明によれば、高速で動く物体１に対し同期検出信号３を得るための同期検出器４と、同期検出信号３に基づいてストロボ装置１０へストロボ制御信号９を送るストロボコントローラ８と、高速で動く物体１を撮影するビデオカメラ１７とを備えると共に、ストロボビデオ同期装置２４を設けて、ストロボ発光部１３の発光と同期されたビデオ映像信号１８のコマのみを同期ビデオ映像信号２３として出力させるようにすることにより、鮮明なビデオ映像を得ることができる。
【００４１】
そして、鮮明なビデオ映像が得られるため、画像分析などを行わなくとも、その場で、高速で動く物体１の様子を観察することができるので、高い有用性が得られる。
【００４２】
又、ビデオカメラ１７は、メーカーや機種などによって固有のシャッター速度があるのが普通であるが、シャッター速度設定器２１にそのビデオカメラ１７のシャッター速度２２を設定することにより、メーカーや機種などに拘らず、全てのビデオカメラ１７を使用させるようにすることが可能となる。
【００４３】
更に、ストロボビデオ同期装置２４は、比較的構成が簡単であるため、安価に製作することが可能である。
【００４４】
以上の構成を、実船のプロペラ２を撮影するのに実際に使用した所、かなり鮮明なビデオ映像が得られることが確認できた。しかも、コマ落ちさせているとは思えない程のスムーズな映像が得られることが確認できた。
【００４５】
そして、プロペラ２によってキャビテーションが発生する経過などをその場で観察することができたので、高い有用性も確認された。
【００４６】
尚、本発明は、上述の実施の形態にのみ限定されるものではなく、プロペラの撮影に限らないこと、その他、本発明の要旨を逸脱しない範囲内において種々変更を加え得ることは勿論である。
【００４７】
【発明の効果】
以上説明したように、本発明のストロボビデオ撮影装置によれば、その場で鮮明なビデオ映像を得ることができるという優れた効果を奏し得る。
【図面の簡単な説明】
【図１】本発明の実施の形態の一例の概略系統図である。
【図２】従来例の概略系統図である。
【符号の説明】
８    ストロボコントローラ
１３  ストロボ発光部
１７  ビデオカメラ
１８  ビデオ映像信号
１９  ビデオデッキ
２０  同期信号
２１  シャッター速度設定器
２２  シャッター速度
２３  同期ビデオ映像信号
２４  ストロボビデオ同期装置
２５  制御装置
【図１】
0003889479.tif 000002
【図２】
0003889479.tif 000003